Podtech/llm-jp-corpus-v4-ja_patent huggingface dataset:
(57)【要約】【課題】    冬季の睡眠中に於いて、体の冷えが起こりそうな部位に貼り付けて、体の局部的な冷えを解消することを目的とした体用保温シートを提供する。【解決手段】    アルミの特性である保温効果を有するアルミ箔と薄手の補強シートを貼り合わせたものを生地とし、アルミ箔と剥離紙の間に低粘性の剥がしやすい粘着剤を裏糊として介在させてシール状にしたことを特徴とする体用保温シート。【選択図】図１
2012245342.tif 000002
【特許請求の範囲】
【請求項１】
アルミの特性である保温効果を有するアルミ箔と薄手の補強シートを貼り合わせたものを生地とし、アルミ箔と剥離紙の間に低粘性の剥がしやすい粘着剤を裏糊として介在させてシール状にしたことを特徴とする体用保温シート。
【請求項２】
適宜通気孔を設けてなる請求項１の体用保温シート。
【請求項３】
生地を柔軟性のある断熱シートにしてなる請求項１の体用保温シート。
【発明の詳細な説明】
【技術分野】
【０００１】  本発明は、冬季の睡眠中に於いて、体の冷えが起こりそうな部位に貼り付けて、体の局部的な冷えを解消することを目的とした体用保温シートに関するものである。
【背景技術】
【０００２】  従来、冬時分、睡眠中の肩の冷えが原因で、風邪をひくことがしばしばある。この肩の冷えを防ぐために、厚着をして寝たり、発熱材を使用した使い捨てカイロや温熱シート等を使用したり、電気毛布等の暖房具を使用していた。
【発明が解決しようとする課題】
【０００３】  そのため、次のような問題点があった。
（イ）厚着をして寝ると、締め付けられてリラックスできない。
（ロ）使い捨てカイロ，温熱シートを肩に貼って寝ると、ゴロゴロして違和感がある。
（ハ）使い捨てカイロ，温熱シート等は低温火傷の恐れがある。
（ニ）厚着や電気毛布等の暖房具を使うと、暖かくなり過ぎて寝汗をかき、逆に冷えの要      因となる恐れがある。
（ホ）これらの不快感，不安感が原因で、安眠，快眠が損なわれて、眠りが浅くなり、就      寝中に目が覚めることがある。
（ヘ）これらの不快感，不安感が原因で、起床後疲労感が残ることがある。
本発明は、以上の問題点を解決しようとするものである。
【課題を解決するための手段】
【０００４】  上記問題を解決するために本発明は、アルミの特性である保温効果を有するアルミ箔と薄手の補強シートを貼り合わせたものを生地とし、アルミ箔と剥離紙の間に低粘性の剥がしやすい粘着剤を裏糊として介在させてシール状にしたことを特徴とする体用保温シートである。
【発明の効果】
【０００５】  本発明は、常に体温に即した一定温度を維持する「保温性」と、体温以上に温度が上昇することがなく、低温火傷の心配のない「安全性」を併せ持ち、また薄いシート状で、体の凹凸に馴染みやすいので、異物感，違和感を持つことなく快適性を保ちつつ、冬季の睡眠中の局部的な冷えの解消を可能とする。さらに、冬季の睡眠中の冷えのみならず、夏季の冷房の利いた室内での体の部分的な冷えの解消をも可能とする。
【図面の簡単な説明】
【０００６】
【図１】本発明の構成を示した一部断面図
【図２】本発明の裁断図（ａ）は本発明を肩用に裁断した図。（ｂ）は本発明を腹用に裁断した図。（ｃ）は本発明を背中用に裁断した図。（ｄ）は本発明を腰用に裁断した図。
【図３】本発明の使用状態を示した斜視図（ａ）は体の前面に於ける使用状態を示す。（ｂ）は体の背面に於ける使用状態を示す。
【発明を実施するための形態】
【０００７】  以下、本発明の実施の形態を説明する。
（イ）アルミ箔（３）に、補強及びアルミ箔（３）の擦れる音を防ぐことを意図して、薄      手の不織布等を補強シート（２）として貼り合わせたものを生地とする。
（ロ）アルミ箔（３）と紙の表面に剥離加工を施した剥離紙（５）との間に、低粘性の剥      がしやすい粘着剤を裏糊（４）として介在させてシール状にし、それを本体（１）      とする。
（ハ）本体（１）を、肩，背中，腹，腰等、体の各部位に適した形状に裁断する。
（ニ）或いは、本体（１）を好みの大きさ，形状に調整可能とするため、一定幅の長尺物      をロール状にする。
（ホ）汗や不感蒸泄等による蒸れや結露を防ぐため、適宜通気孔を設ける。
本発明は、以上の構成よりなっている。
本発明を使用する場合、冬季の睡眠中の局部的な冷えの解消や、夏季の冷房の利いた室内での体の部分的な冷えの解消をしたいとき、シール状を有する本体（１）の一端部の剥離紙（５）を剥がし、その一端部を対象部位の下着等の上、若しくは上衣等の内側に貼って位置決めし、残りの剥離紙（５）をゆっくり剥がしつつ軽く押さえて貼付後、軽く揉んで体の対象部位に馴染ませる。
【符号の説明】
【０００８】１    本体
２    補強シート
３    アルミ箔
４    裏糊
５    剥離紙
【図１】
2012245342.tif 000003
【図２】
2012245342.tif 000004
【図３】
2012245342.tif 000005
(57)【要約】      （修正有）【課題】暑い季節に扇いで涼を取ると共に、香りを楽しむことを可能とした香る団扇を提供する。【解決手段】地紙３，骨４，縁５から成る扇面２と柄６によって団扇１を構成し、地紙３の上部に香油保持部９に即した切り欠きを施すとともに、扇面２となる骨４に香油保持部受けを設ける。二つ折りの札状の板に香油放出穴１０を設けて香油保持部９を構成し、吸水性かつ通気性を持つ不織布，織布等の繊維布類や和紙類を用いた香油保持シート１３をセットし、好みの香油を香油放出穴１０越しに香油保持シート１３に染み込ませ、起風して涼を取ると同時に香油保持部９から放たれる香りを楽しむ。【選択図】図１
2012245343.tif 000002
【特許請求の範囲】
【請求項１】
起風と同時に香りを放つように、団扇の扇面に香油を保持かつ放出できる香油保持部を設けたことを特徴とする香る団扇。
【請求項２】
香油保持部を着脱可能にしてなる請求項１の香る団扇。
【請求項３】
香油保持部にカバーを設けてなる請求項１の香る団扇。
【発明の詳細な説明】
【技術分野】
【０００１】  本発明は、暑い季節に扇いで涼を取ると共に、香りを楽しむことを可能とした香る団扇に関するものである。
【背景技術】
【０００２】  従来団扇は、地紙，骨，縁などから成る扇部とそれを支持する柄で構成され、暑い季節に涼を取るために用いられ、手に持って扇ぐことで、風を起こす道具である。
【発明が解決しようとする課題】
【０００３】  そのため、次のような問題点があった。
（イ）手に持って扇ぐため、腕の運動により体温が上昇し、さらに暑くなることがある。
（ロ）暑さによるイライラ感の解消の度合いが小さい。
（ハ）風が当たるときと当たらないときの体感温度の差が小さい。
本発明は、以上の問題点を解決しようとするものである。
【課題を解決するための手段】
【０００４】  上記問題を解決するために本発明は、起風と同時に香りを放つように、団扇の扇面に香油を保持かつ放出できる香油保持部を設けたことを特徴とする香る団扇である。
【発明の効果】
【０００５】  本発明は、扇いだ風を体に当て、皮膚感覚で物理的な涼しさを感じるだけでなく、風と同時に香りを放つ機能を付加することによって、清涼感，爽快感をもたらす香りで体感温度を下げたり、鎮静効果をもたらす香りで暑さから来るイライラ感を解消するなど、嗅覚を通して精神的な快適性をもたらすことができる。つまり、アロマ効果による相乗効果でさらなる涼しさを感じることが可能となる。さらに、香油保持シートを交換するだけで、即座に好みの香りに変えることができ、本発明一つでいろんな香油を楽しめる。
【図面の簡単な説明】
【０００６】
【図１】本発明の斜視図
【図２】本発明の分解斜視図
【発明を実施するための形態】
【０００７】  以下、本発明の実施の形態を説明する。
（イ）地紙（３），骨（４），縁（５）から成る扇面（２）と柄（６）によって団扇（１      ）を構成する。
（ロ）地紙（３）の上部に香油保持部（９）に即した切り欠きを施す。
（ハ）扇面（２）となる骨（４）に香油保持部受け（７）を設ける。
（ニ）香油保持部受け（７）の下部に固定ピンガイド（８）を設ける。
（ホ）二つ折りの札状の板に、一方の内側端部に固定ピン（１１）、他方の内側端部に固      定ピン受け（１２）を設け、さらに符合する対の香油放出穴（１０）を設けて香油      保持部（９）を構成する。
（ヘ）吸水性かつ通気性を持つ不織布，織布等の繊維布類や和紙類を用いて、香油保持シ      ート（１３）とする。
本発明は、以上の構成よりなっている。
本発明を使用する場合、香油保持部（９）を開いて香油保持シート（１３）をセットし、香油保持部受け（７）の縁（５）を挟み込む状態で、固定ピン受け（１２）を固定ピンガイド（８）に通し、固定ピン（１１）を押し込んで組み立て完了。好みの香油を香油放出穴（１０）越しに香油保持シート（１３）に染み込ませ、起風して涼を取ると同時に香油保持部（９）から放たれる香りを楽しむ。
【符号の説明】
【０００８】１    団扇
２    扇面
３    地紙
４    骨
５    縁
６    柄
７    香油保持部受け
８    固定ピンガイド
９    香油保持部
１０  香油放出穴
１１  固定ピン
１２  固定ピン受け
１３  香油保持シート
【図１】
2012245343.tif 000003
【図２】
2012245343.tif 000004
(57)【要約】【課題】無機質土壌改良剤の保存、収穫、使用性を安価で簡単な方法で改良する。【解決手段】生の草、木、根を焼いた成分を混合し加水して所定の圧力および温度、時間で煮沸し大気中に一定時間保存したのち再度煮沸し所定のＰＨ値になるまで加水して調整するとともに陽およびまたは陰高分子界面活性剤、酸化チタンを添加することにより液状の土壌改良剤を生成する。これにより保存性、使用性、植物の生育、収穫性、害虫予防性が著しく向上した。【選択図】なし【特許請求の範囲】
【請求項１】
生の草、木、根を焼いて粉末にしたものを混合し加水し所定の圧力および温度、時間で煮沸した液体を冷却し大気中に一定時間保存したのち前記圧力および温度、時間とはことなる値で再度煮沸した後所定のＰＨ値になるまで加水して希釈した液状の土壌改良剤
【請求項２】
生の草、木、根を焼いて粉末にしたものを混合し加水し所定の圧力および温度、時間で煮沸した液体を冷却し大気中に一定時間保存したのち前記圧力および温度、時間とはことなる値で再度煮沸した後所定のＰＨ値になるまで加水して希釈するとともに酸化チタン等の光半導体物質を混合した液状の土壌改良剤
【請求項３】
粉末と生の草、木、根を焼いて粉末にしたものを混合し加水し所定の圧力および温度、時間で煮沸した液体を冷却し大気中に一定時間保存したのち陽およびまたは陰イオン性高分子界面活性剤を加え前記圧力および温度、時間とはことなる値で再度煮沸した後所定のＰＨ値になるまで加水して希釈した液状の土壌改良剤
【請求項４】
生の草、木、根を焼いて粉末にしたものを混合し加水し所定の圧力および温度、時間で煮沸した液体を冷却し大気中に一定時間保存したのち陽およびまたは陰イオン性高分子界面活性剤を加え前記圧力および温度、時間とはことなる値で再度煮沸した後所定のＰＨ値になるまで加水して希釈するとともに酸化チタン等の光半導体物質を混合した液状の土壌改良剤
【発明の詳細な説明】
【技術分野】この発明は植物の生育に必用な鉄、マグネシウム、カルシウム、ケイ酸など無機質成分を植物に供給し土壌を改良する土壌改良剤に関する。
【背景技術】従来、一般に鉄、マグネシウム、カルシウム等の無機質成分の土壌改良剤が知られている。たとえばカルシウム等からなる石灰土壌改良剤では炭酸石灰、生石灰、苦土生石灰、副産石灰貝、化石肥料、混合石灰がある。しかしこれら無機質成分の土壌改良剤、石灰土壌改良剤では施用量と土壌との組み合わせに長年の経験が必要であり誤って施用したときの植物への被害が甚大であった。さらに従来の土壌改良剤は粉末、固形物であり大気中の水分で製品が粒状に固まってしまい長期保存に難点があった。またケイ酸は植物の生育に不可欠な成分であるがこれに他の無機質成分を組み合わせた土壌改良剤は市場に販売されてなかった。
【先行技術文献】
【特許文献】
【特許文献】なし
【非特許文献】
【非特許文献】なし
【発明の概要】
【発明が解決しようとする課題】従来の土壌改良剤は無機質成分が粒状で雨、水の散布で成分が土壌に溶け出しイオン化して植物に吸収されるまでかなりの時間がかかった。さらにこれら土壌改良剤は保存中大気中の水分が主成分に吸着し利用時に解体出来ないほど固形化してしまいその粒子が植物収穫時に根に絡まるため一般耕作、水耕栽培等には適していなかった。
【課題を解決するための手段】生の草、木、根を焼いて生成した粉末（灰）を混合し加水し加圧して煮沸し大気中にさらした後さらに煮沸し加水してＰＨ値を整え液状にすることで使用時に土壌に植物の生育に必要な無機質成分が一定量土壌に供給される。この製品は液状のため保存性が良くこれを土壌に散布したあとの残留物がきわめて少ない利点がある。また陽およびまたは陰イオン性高分子界面活性剤を加えると成分が均一に分散され散布後の植物の育成を均一化してむらがなくなる。さらに酸化チタンを混入すると光半導体の作用で殺菌、消臭、保存性、各種有害化学物質の分解良くなる利点がある。
【発明の効果】この発明の土壌改良剤では製品が液状のため大気中の湿気で固化、固結しないので長期の保存ができる。さらに使用時には土壌の無機質濃度レベルが一定になるので農業経験者でなくても取扱いが容易であり土壌改良剤としての効果も大きい利点がある。最近話題の各種農薬、有機化学物質も分解され理想な有機農法の実践が可能となる。
【発明を実施するための形態】
【実施例】本発明の実施例を説明する。この発明は生の草、木、根を焼いた粉末（灰）を混合し加水して所定の圧力および温度、時間で煮沸した液体を再度煮沸した後所定のＰＨ値になるまで加水して希釈した液状の土壌改良剤である。次にこの発明の一実施例を述べる。まず上記セラミックに生の草、木、根を焼いてこれを粉砕して粉末にしたもの（灰）と水を加え十分撹拌して混ぜる。このとき溶液に超音波を加え溶解を促進しても良い。この混合物を例えば加圧するため圧力釜にいれ１．５−３気圧の圧力で３０分から２時間煮沸する。このように煮沸すると草、木、根の上記粉末から各種ミネラルとして鉄、マグネシウム、カルシウム、ケイ酸が溶け出した水溶液が得られる。この水溶液を大気中で冷却したのち再度１．５−２気圧の圧力で３０分から１時間再度煮沸する。このときに陽およびまたは陰イオン性高分子界面活性剤を添加してもよい。このようにすると水溶液がさらに均一化される。また製品を使用するとき土壌への浸透性が良くなる。この煮沸物から草、木、根の粉末の残留物をろ過して取り出した水溶液を大気中で冷却したのち加水する。この発明ではＰＨ１０−１２の水素イオン濃度になるように加水調整したときが最適な条件（保存性、植物育成率）が得られた。この水溶液にさらに酸化チタン等の光半導体物質の粉末を混合してもよい。上記光半導体物質の作用で殺菌、消臭、保存性を向上することができる。この発明では上記液体生成物をプラスチック容器、ビン詰めにして製品（土壌改良剤）とする。この発明の土壌改良剤は液状なため大気中の水分の吸着が少なく従来の粒状、顆粒状の土壌改良剤とくらべると１．５−３倍の保存性があった。またこの肥料ではケイ酸が含まれており畑、園芸用に使用したところ植物の生育が従来のものと比べて１．３−２倍促進されるとともに免疫性も亢進し害虫の防虫効果も向上した。また従来の土壌改良剤のように固形成分が含まれていないので水耕栽培等に使用すると根切れ等の心配がなく良質で均一な植物の収穫物が得られる。
【産業上の利用可能性】この発明の土壌改良剤は農業、園芸において長期保存ができる製品を供給するとともにケイ酸が他の無機質成分と共同して植物が良質に育成できるようになり産業上も十分な利用価値がある。
(57)【要約】【課題】  溶融亜鉛めっきより、耐食性および耐摩耗性に優れ、黒色化処理でより黒く明暗のムラがない表面処理の方法を得ること、その方法で表面処理した物を生産すること。【解決手段】  最初に、溶融亜鉛−アルミニウム合金めっきをする。めっきは鋼材を、溶融亜鉛−アルミニウム合金に浸漬してめっきする１浴法か、溶融亜鉛めっき後、溶融亜鉛−アルミニウム合金めっきをする２浴法でする。次に黒色化処理をする。黒色化処理は、要求の明度が高い薄い黒色の場合はりん酸亜鉛処理をする。要求の明度が低い濃い黒色の場合は、りん酸亜鉛処理に追加して黒染め処理をして狙いの黒さ（明度）にする。【選択図】なし【特許請求の範囲】
【請求項１】
最初に溶融亜鉛−アルミニウム合金めっきをし、次にりん酸亜鉛処理をし、更に必要あれば黒染め処理をすることを特徴とする表面処理法。
【請求項２】
最初に溶融亜鉛めっきをし、続いて溶融亜鉛−アルミニウム合金めっきをし、次にりん酸亜鉛処理をし、更に必要あれば黒染め処理をすることを特徴とする表面処理法。
【請求項３】
請求項１または請求項２で表面処理をしたことを特徴とする溶融亜鉛−アルミニウム合金めっき品。
【発明の詳細な説明】
【技術分野】
【０００１】  本発明は、溶融亜鉛合金めっきおよびその表面処理に属す。
【背景技術】
【０００２】  道路の側溝のふたに使われるグレーチング、道路標識や照明の支柱、ガードレール、水管橋などの土木建築に使われる鉄鋼材料は、耐候性、耐食性などのために溶融亜鉛めっきが賞用されている。しかし、溶融亜鉛めっきには次のような新しい要望が生じている。
要望の例として、道路の側溝のグレーチングについては次のようなことがある。融雪剤で腐食されるので耐食性を上げて欲しい。人や車に踏まれるので耐摩耗性に優れているのが望ましい。新設した時は金属光沢で時間が経つと白っぽい灰色になるが、町の景観に合わない。特に、カラーコンクリートの道路には暗い灰色や黒色がよいが、黒色化処理をしても結晶のムラが明暗の模様になり品質が悪いと思われてしまう。
このようなことから、これらの要望に応じられる方法や物が求められている。
【発明の開示】
【発明が解決しようとする課題】
【０００３】  溶融亜鉛めっきより、耐食性および耐摩耗性に優れ、黒色化処理でより黒く明暗のムラがない表面処理の方法を得ること、その方法で表面処理した物を生産すること。
【課題を解決するための手段】
【０００４】  最初に、溶融亜鉛−アルミニウム合金めっきをする。めっきは鉄鋼材料を、溶融亜鉛−アルミニウム合金に浸漬してめっきする１浴法か、溶融亜鉛めっき後、溶融亜鉛−アルミニウム合金めっきをする２浴法でする。次に黒色化処理をする。黒色化処理は、要求の明度が高い薄い黒色の場合はりん酸亜鉛処理をする。要求の明度が低い濃い黒色の場合は、りん酸亜鉛処理に追加して黒染め処理をして狙いの黒さ（明度）にする。
【発明の効果】
【０００５】  上述の溶融亜鉛めっきの課題を解決できる。即ち、溶融亜鉛めっきではなく溶融亜鉛−アルミニウム合金を採用したことにより、塩害に優れ、めっきの硬度が高く耐摩耗性がよく、酸化皮膜が濃い灰色になり、黒色化処理が容易で明度が低くムラがないなど、溶融亜鉛めっきの課題が全面的に解決する。
【発明を実施するための最良の形態】
【０００６】  溶融亜鉛−アルミニウム合金めっきの方法は、１浴法と２浴法がある。１浴法は下に述べる２浴法の１浴を省いた方法である。２浴法は工程が増えるがめっきのつきが良い。以下、２浴法について説明する。
めっきする鉄鋼材料は、脱脂、錆除去のため酸洗をしてフラックス処理をする。この物を溶融亜鉛めっきし（以下、１浴という）、次に溶融亜鉛−アルミニウム合金めっきをする（以下、２浴という）。１浴は高純度亜鉛浴で、２浴は高純度亜鉛に５％（４〜６％の範囲）のアルミニウムと１％（０．８〜１．３％の範囲）のマグネシウムを加えた合金浴である。【０００７】  ２浴法の１浴の溶融亜鉛めっきは、次のような働きをする。溶融亜鉛は素地の鉄に対し濡れ性がよく、鉄−亜鉛合金層を形成しめっきのつきを良くする。この合金層の上についた表面の亜鉛層は、２浴で溶融して２浴の合金と混じり合金成分のアルミニウムおよびマグネシウムの拡散を助ける。その結果２浴後のめっき層は、表層が亜鉛−アルミニウム−マグネシウム合金、表層と鉄素地の間は、鉄−亜鉛−アルミニウム−マグネシウム合金になる。
この合金めっき層が上述の発明の効果を生み出すのであるが、特に溶融亜鉛めっきより灰色が濃くなること、結晶が細かく結晶模様が目立たないこと、黒色化処理で黒色が濃くなり明暗のムラが目立たないことなどが商品価値を高めるのに役立つ。【０００８】  黒色化処理は、顧客の要求明度により処理法が次のように別れる。
要求明度が高い薄い黒色の場合（明度が約２．５以上）はりん酸亜鉛処理をする。めっき品の温度がりん酸亜鉛薬液の温度近くまで冷えたならば薬液に浸漬する。化成皮膜が形成され要求明度になったならば湯洗をして終わる。
要求明度が低く、りん酸亜鉛処理では黒さが不足する場合（明度が約３．５以下）は、追加して黒染め処理をする。要求明度になったならば湯洗をして終わる。
黒色化処理は、明度が温度と浸漬時間で変わるので、見本と比較して狙いの明度にする。【０００９】  上述は基本的な工程で、条件によって工程の省略や追加が必要になる。
めっきする物に油脂が着いていない場合は脱脂工程が、錆がないか錆が除去されている場合は酸洗工程が省略できる。
めっき後りん酸亜鉛処理の前に、運搬、貯蔵などで表面に油脂が着いたり酸化皮膜が生じたりした場合は、油脂や酸化皮膜の除去工程が必要になる。また、必要に応じてりん酸亜鉛処理の反応を容易にする薬剤処理を追加する。
めっき後冷却して室温になっている物をりん酸亜鉛処理液に浸漬すると液温が下がるので、液温を保つための加熱が必要になる。
【実施例】
【００１０】  グレーチング、交通標識の支柱などを、めっきは２浴法で、黒色化は明度３．５を狙い（明度の範囲は４〜２．５）りん酸亜鉛処理で生産した。ロット内の明度の範囲は３．６〜２．７（最大と最少の差０．９）、１個の中の明度の差は０．８で、明度のばらつきは狭く、明度のムラが目立たなかった。
黒染め処理を追加する必要がある明度は、グレーチングの生産では２．５以下であった。
【産業上の利用可能性】
【００１１】  土木建築関係や配管関係で溶融亜鉛めっきが使われている物は、必要に応じて本発明の物に変わっていく。また、塗装していた物も必要に応じ本発明の物に変わっていく。
(57)【要約】【課題】  高いビル等、危険な場所の洗浄作業を安全に行なう。【解決手段】  レーザー光線とフッ化水素及びフッ化水素酸により、安全に高いビル等の洗浄作業を行なう。【特許請求の範囲】
【請求項１】
フッ化水素及びフッ化水素酸はレーザー光線に照射される事により、数十メートル以上移動して、レーザー光線と共に、目標物に到達する。
【請求項２】
フッ化水素及びフッ化水素酸は電磁波に照射される事により、数十メートル以上移動して、電磁波と共に、目標物に到達する。
【発明の詳細な説明】
【技術分野】  レーザー光線や電磁波の発信部分に、フッ化水素及びフッ化水素酸を塗付する。
【発明の概要】
【発明が解決しようとする課題】  高所の安全な洗浄作業。
【課題を解決するための手段】  レーザー光線や電磁波の発信部分に、フッ化水素又はフッ化水素酸を塗付して、照射する事により、ビル等の高所作業を安全に行なう。
(57)【要約】      （修正有）【課題】洗濯物を取り込む際に、複数の洗濯バサミを一度で簡単に外す事が出来る物干しハンガーを提供する。【解決手段】洗濯バサミを弾力性のある部材で成型し、洗濯バサミの摘まみ部に設けた取り付け穴に衣紋掛形フレーム６のワイヤー１１を通して、複数の洗濯バサミを並列に並べるとともに、該並列に並べた複数の洗濯バサミ上部の適宜の位置でかつワイヤー１１に通して、引くレバー９に連係した複数の引きレバー用ガイドリング１２を設ける。【選択図】図６
2012143529.tif 000002
【特許請求の範囲】
【請求項１】
物干しハンガーフレームに図のように直に付ける事の出来る洗濯バサミの付いた物干し。
【請求項２】
物干しハンガーフレームの形状にあった、切込み誘導口のある洗濯バサミの付いた物干しハンガー。
【請求項３】
フレーム上部で洗濯バサミ最上部が隣合せに接触する構造とし、手押しで洗濯物を一斉に外せる物干しハンガー。
【請求項４】
フレーム上部で、洗濯バサミ最上部が隣合せに接触する構造としレバー＾を引く事で、洗濯物を一斉に外せる物干しハンガー。
【発明の詳細な説明】
【技術分野】
【０００１】本発明は、洗濯物を取り込む際に、複数の洗濯物を簡単に外す事が出来る物干しハンガーに関する物である。
【背景技術】
【０００２】従来の物干しハンガーは、洗濯物を取り込む際に個々に指先で摘まんで外す物が一般的であった。
【先行技術文献】
【特許文献】
【０００３】
【特許文献１】特開２００２−３０６８９６号広報
【特許文献２】特開２００６−０８７８６６号広報
【特許文献３】特開２００７−２８２８７５号広報
【発明の概要】
【発明が解決しようとする課題】
【０００４】従来の物干しハンガーでは、洗濯バサミを一つずつ摘まむ為に、家事効率が悪く摘まんで開くか、無理に引っ張る事で衣類等を傷める事が問題であった。
【課題を解決するための手段】
【０００５】洗濯バサミの摘まみ部分を長くし、上部に穴を空け物干しフレームに直接付ける。フレームの形によっては、引き寄せレバーを取り付ける。
【発明の効果】
【０００６】物干しハンガーのフレームに、直接洗濯バサミを取り付ける事で、洗濯物を取り込む際、並列している洗濯バサミを一方向に手で寄せるか、又は引き寄せレバーを引く事で、洗濯物を一度に取り込む事が出来、洗濯バサミの開口部が開く事で、衣類等へ与える損傷はほとんど無い、また手か引き寄せレバーで、寄せられた洗濯バサミは手かレバーを放すとバネの力で復元する。
【図面の簡単な説明】
【０００７】
【図１】本発明の大きな洗濯バサミ斜視図。
【図２】本発明の大きな洗濯バサミをフレームに、誘導する切込み口のある洗濯バサミ斜視図。
【図３】本発明の大きな洗濯バサミとフレームに取り付ける、長方形穴の洗濯バサミ斜視図。
【図４】本発明の大きな洗濯バサミ側面図。
【図５】本発明の長方形穴の、洗濯バサミを衣紋掛形ハンガーに取り付けた図。
【図６】本発明の衣紋掛形ハンガーの、洗濯バサミを手で押すかレバーで引いた状態図。
【図７】本発明の洗濯バサミの付いた、丸形ハンガー前面一部抜粋図。
【図８】本発明の洗濯バサミの付いた、角形ハンガー前面一部抜粋図。
【発明を実施するための形態】
【０００８】本発明の実施形態について、図面参照して説明する本発明に係る物干しハンガーの、実施形態を示す図５の衣紋掛形ハンガーに図３の洗濯バサミの付いた実施形態図、本発明に係る図６の衣紋掛形ハンガーに、図１の洗濯バサミの付いた実施形態図、本発明に係る物干しハンガー実施形態を示す図７の丸形型ハンガーに図２の洗濯バサミの付いた、物干しハンガー実施形態図、また図８の角形ハンガーに図２の洗濯バサミの付いた実施形態図である。
【符号の説明】
【０００９】  １    摘まみ部
２    取り付け穴
２Ａ  取り付け穴に誘導切込み
２Ｂ  取り付け長方形穴
３    Ｃ形バネ
４    ヒンジ部
５    吊り手
６    衣紋掛形フレーム
７    長方形平版
８    平板取り付け割ビス
９    引くレバー
１０    ワイヤー受け穴
１１    ワイヤー
１２    引きレバー用ガイドリング
１３    丸形フレーム
１４    角形フレーム
１５    矢印手押し方向
【図１】
2012143529.tif 000003
【図２】
2012143529.tif 000004
【図３】
2012143529.tif 000005
【図４】
2012143529.tif 000006
【図５】
2012143529.tif 000007
【図６】
2012143529.tif 000008
【図７】
2012143529.tif 000009
【図８】
2012143529.tif 000010
(57)【要約】【課題】身体の全体部位をマッサージすることが出来るマッサージチェアを提供する。【解決手段】マッサージチェア本体（１）から、マッサージ触手（４）が座した身体の前方に位置するようアーム（２）を持ち出しこれにマッサージ触手（４）を付加したことを特徴とする。【選択図】図１
2012143526.tif 000002
【特許請求の範囲】
【請求項１】
マッサージチェア本体（１）から持ち出したアーム（２）にマッサージ触手（４）を配置し、身体の全体部位をマッサージすることが出来るマッサージチェア
【発明の詳細な説明】
【技術分野】
【０００１】  この発明は身体の全体部位をマッサージ可能にする為に、可動式アームを付加したマッサージチェアに関するものである。
【背景技術】
【０００２】  従来、マッサージチェアは、椅子の内部にローラーを組み込み、人が座した状態で背中や腰、ふくらはぎ等に背面から押し付けながら移動させてマッサージを行うようにしていた。また、開閉動するマッサージ触手で身体の各部位を挟み、マッサージを行うようにしていた。
【先行技術文献】
【０００３】不明
【特許文献１】不明
【非特許文献１】不明
【発明の概要】
【発明が解決しようとする課題】
【０００４】  これには次のような欠点があった。
マッサージしたいと考える部位（ツボ）は身体全体に点在するため、身体の背面にマッサージ触手を配置した現状のものでは、身体の全体部位をマッサージすることが出来なかった。
本発明はこの欠点を解決する為になされたものである。
【課題を解決するための手段】
【０００５】  マッサージチェア本体（１）から、マッサージ触手（４）が座した身体の前方に位置するようアーム（２）を持ち出しこれにマッサージ触手（４）を付加する。マッサージ触手（４）はアーム（２）に沿って移動する。アーム（２）の根元部分には着脱可能な継ぎ手（３）を設ける。アーム（２）の支持部分はマッサージチェア本体に設けたガイドレール（５）沿ってって走行する。
本発明は以上の構成からなるマッサージチェアである。
【発明の効果】
【０００６】  マッサージ触手を自由な位置に配置可能となったことで、身体のあらゆる部分をマッサージすることが可能になった。身体の揉みほぐしに留まらず、美容効果目的としての全身エステにも利用可能となった。
【図面の簡単な説明】
【０００７】
【図１】本発明の構造を表した斜視図である。
【図２】アームの開閉状態を表した斜視図である。
【発明を実施するための形態】
【０００８】    以下本発明の実施例について説明する。
マッサージチェア本体（１）から、マッサージ触手（４）が座した身体の前方に位置するようアーム（２）を持ち出しこれにマッサージ触手（４）を付加する。マッサージ触手はアームに沿って移動する。アームの根元部分には着脱可能な継ぎ手（３）を設ける。アームの支持部分はマッサージチェア本体に設けたガイドレール（５）に沿って走行するものである。本発明は以上のような構造で、これを使用するには、アーム（２）を継ぎ手（３）から外し正面を向いて座し、アーム（２）を閉じる。コントローラー操作にてマッサージ触手（４）の希望する動きを得ることが出来る。
【符号の説明】
【０００９】１．    マッサージチェア本体
２．    アーム
３．    継ぎ手
４．    マッサージ触手
５．    ガイドレール
【図１】
2012143526.tif 000003
【図２】
2012143526.tif 000004
(57)【要約】【課題】容器には、指圧効果突起部は設けてなく内容物を収めるだけのものであり使用中も使用後も指圧マッサージ効果を得る目的のものはなかった。【解決手段】容器に指圧効果突起部を設け容器使用中も内容物がなくなった使用後も、指圧マッサージ具として使用できるようにした。【選択図】図１
2012143525.tif 000002
【特許請求の範囲】
【請求項１】
指圧効果突起部を設けた容器
【発明の詳細な説明】
【技術分野】
【０００１】この発明は、容器の形状に関する。
【背景技術】
【０００２】従来の容器には、指圧効果突起部は設けてなく、内容物を収めるだけのものである。
【発明の概要】
【発明が解決しようとする課題】
【０００３】しかしながら、以上の技術によれば、容器は内容物を収めるためだけのものであり、指圧効果突起部は設けてなく、内容物を収容中も収容後も指圧マッサージ効果を目的とするものはなかった。
そこで、この発明は容器に指圧効果突起部を設け、内容物を収容中も収容後も、その容器を握ったり、容器で叩いたり、容器を足の裏で踏みつけることにより、指圧マッサージ効果を得られるようにすることを課題とする。
【課題を解決するための手段】
【０００４】以上の課題を解決するために、本発明は容器に大小の指圧効果突起部を設けたことを特長とする容器。
【発明の効果】
【０００５】本発明によれば容器に大小の指圧効果突起部を設けたことで、容器を使用するため握った時や、内容物がなくなった後も握ったり、マッサージしたいところを容器で叩いたり、足の裏で踏みつけることで、指圧マッサージ効果を得ることが、できる。
【図面の簡単な説明】
【０００６】
【図１】この発明の一実施形態を示す斜視図である。
【発明を実施するための形態】
【０００７】この発明の一実施形態を、図１に示す。
容器本体１に、指圧効果突起部小２、指圧効果突起部大３、柄部４、底部５、キャップ６を設ける
【０００８】「実施形態の効果」
この実施形態によれば、容器を使用中、手で握ったとき指圧効果突起部小で手のひらに指圧マッサージ効果を得ることができ、内容物がなくなった使用後も、指圧マッサージ具として使用できる。
【０００９】「他の実施形態」
図１の実施形態では、ボトル型丸形断面容器だが多角形断面容器でもよい。容器全体が樽型でもよい。断面が楕円形でもよい。半円形断面の容器でも良い。
【００１０】指圧効果突起部を設けた容器はガラス製に限らず、金属製やプラスチックス製、陶器や磁器製でもよく、これらの複合材でもよい。
【００１１】指圧効果突起部を設けた容器は柄部や指圧効果突起部大の部分にも指圧効果突起部小を設けてもよい。
【００１２】指圧効果突起部を設けた容器は使用後。内容物がなくなり軽くなった時は、水を入れても良い。コンクリートを入れても良い。石膏を流し込んでもよい。
【００１３】指圧効果突起部を設けた容器は大小大きさを問わない。指圧効果マッサージ具として、使えればよい。
【符号の説明】
【００１４】１  容器本体    ２  指圧効果突起部小    ３  指圧効果突起部大    ４  柄部
５  底部        ６  キャップ
【図１】
2012143525.tif 000003
(57)【要約】      （修正有）【課題】従来のゲーム機は年配者には少し難しくて飽きやすい傾向にあったのでゲーム自体は簡単にして画面に出てきた数字をタッチペンにより早くクリックするという指先を使った機敏さや瞬発力を養って行くと同時に脳の活性化になって行くというゲームを提供する。【解決手段】画面にタッチすると毎回違う場所にランダムに数字が出てくる。正解だとピンと音で知らせて数字は消え枠内に数字が灯る。次の画面にタッチすると又数字が出てくる、１０問の問題が終れば次回は又上下の矢印と数字の位置が変って出てくる。上下の矢印を覚え出てくる数字の場所を想像し探し指先を使ってタッチペンでクリックする、常に出てくる数字の場所を変え早く探す。【選択図】図２
2012143523.tif 000002
【特許請求の範囲】
【請求項１】
このゲームは１番から１０番までの問題になっていて上下矢印の方向に従って，右側のランダムに出て来た数字の中から次ぎの数字を早く探してクリックする、毎回違う所に出てくる数字を探し出して０から９までの数字を早く成立させていくゲームです。
【発明の詳細な説明】
【技術分野】
【０００１】本ゲームは画面にタッチすると毎回違う場所にランダムに数字が出てくる正解だとピンと音で知らせて数字は消え枠内に数字が灯る次の画面にタッチすると又数字が出てくる、１０問の問題が終れば次回は又上下の矢印と数字の位置が変って出てくる、上下の矢印を覚え出てくる数字の場所を想像し探し指先を使ってタッチペンでクリックする、常に出てくる数字の場所を変え早く探すゲーム。
【背景技術】
【０００２】従来の装置としては数字とボタンスイッチを１対にして操作パネル上に並べ表示灯が点灯したらボタンを押していく特開平９−２７６５４０等があるが、これだと点灯したら押すだけで疲れてしまうので今回考えたのはランダムに出てきた数字を的確に押さえ０から９までの数字を成立させていくゲームです。
【ゲームの進め方】
【０００３】例えば１番の所は３が出ています図１の矢印は上向きになっているで上の枠内をクリックすると右側の数字がランダムに出てきます図２，その中から４を早く探して早くクリックする，正解だと押した（クリック）したと同時に右側のランダムの数字は消えて３の上枠に４が灯ります図３、その後続けて上の枠をクリックすると前回とは違う場所にランダムに数字が出てくる図４，次は５を探して早くクリックすると同時に又右側の数字は消えて４の上に５が灯る図５、その後６・７・８・９が終れば今度は下から０・１・２と入れていく図６（参照）。１問目が終ると２問目に出ている７が灯り上の枠をクリックし８を探して進めて行く２問目が終ると３問目に出ている５が灯る。
【０００４】３番の場合は５が灯っていて矢印が下向きになっているので今度は下へ向って５の下の枠をクリックして又右側のランダムに出てきた数字の中から６を早く探してクリックする同時にランダムの数字は消えて５の下の枠に６が灯く図７（参照），続いて６の下の枠をクリックすると右側のランダムの数字が又前回とは違う場所にランダムに数字が出る図８（参照），７・８・９とした後，今度は上から下へ０・１・２・３・４と入れていき３問目は終わり４問目には入っていく。
【０００５】１０問まで終ると経過時間によって初級・中級・上級と決めていく。
【０００６】ゲームが終わり再度挑戦する時と終ってスイッチを切って新たにゲームを行う場合は前回とは違う場所に新たな数字が出てきて矢印も変ってきます，図９（参照）。
【図面の簡単な説明】
【０００７】
【図１】スイッチを入れた時点の図面、上下矢印の指示と数字が出ている
【図２】右側の画面に数字が出ている図面
【図３】３の上の枠内に４が灯った図面
【図４】右側の画面に前回と違う所に数字が出ている図面
【図５】４の上の枠内に５が灯った図面
【図６】下の枠から０・１・２とは入り１問目が完成した図面
【図７】５の下の枠内に６が灯った図面
【図８】右側の画面に前回と違う所に数字が出ている図面
【図９】新しい場所に上下矢印の指示と数字が出ている
【図１】
2012143523.tif 000003
【図２】
2012143523.tif 000004
【図３】
2012143523.tif 000005
【図４】
2012143523.tif 000006
【図５】
2012143523.tif 000007
【図６】
2012143523.tif 000008
【図７】
2012143523.tif 000009
【図８】
2012143523.tif 000010
【図９】
2012143523.tif 000011
(57)【要約】【課題】        電動モーターあるいは流体圧力シリンダーなどの駆動手段を一切用いることなく、シンプルな機構で狭小な移動空間の日本家屋では室内移動を容易に、また、小回りに移動できる室内用車椅子を提供する。【解決手段】        小型の３輪車椅子にしたことにより、介助者の手を煩わすことなく、要介護者自身が、要介護者自身の意思でもって室内を移動することが出来る。【選択図】図１
2012143524.tif 000002
【特許請求の範囲】
【請求項１】
［図１］のようにフレーム本体７に両側一対の主車輪１が取り付けられ前方に伸びたフレーム本体７に自在輪の車椅子用キャスター２が取り付けられている。主車輪１が２輪と自在輪の車椅子用キャスター２との計３輪からなる車椅子用ブレーキ付３輪車椅子。
【請求項２】
［図２］の如く、請求項１において座板を小さくし、フレーム本体７が座板より飛び出していることを特徴とし、前輪を支持するフレーム本体７を室内段差を乗り越えるときに要介護者本人が持ち上げることが出来るように、持ちやすく伸ばしたことを特徴とする。
【請求項３】
［図３］の如く、請求項１における車椅子用キャスター２の支持部に、片麻痺の要介護者が麻痺側の足が乗せられるように、フットサポート１２が、麻痺の状況により右、左あるいは使用しないようにフットサポート位置決め用カラー１１にフットサポート用ピン６を１本設置し、フットサポート１２側の９０度毎に開孔された位置決め穴３箇所に必要位置にセットできるようにしてあることを特徴とする。
【請求項４】
［図４］の如く、請求項１における車椅子用ブレーキ３，４が主車輪１後方にセットされており、移動時の足の動作を規制しないことを特徴とする。
【請求項５】
［図５］の如く、当３輪車椅子は固定フレームのため請求項１における背当てフレーム８をパイプ止め金具５を２箇所引っ張ってはずし、その後、背当てフレーム８を上方へ引っ張って抜いてはずし、背当てフレーム８と、３輪車椅子本体とを取り外せることを特徴とする。
【発明の詳細な説明】
【技術分野】
【０００１】      本発明は、家屋内にて生活する要介護者に使用される室内移動用車椅子に関し、さらに詳細には、少なくとも小回りの利く構造に関する。
【背景技術】
【０００２】      一般に、身体が不自由な人、例えば、けが人、高齢者、あるいは身体障害者（以下、要介護者という）（特に正常歩行困難な片麻痺などの者）が家屋内を移動する手段に用いられる。【０００３】      片麻痺歩行などの人の歩行は狭い在宅環境における移動手段として重要で、歩行に伴う装具着脱や起居動作、段差昇降や方向転換を含めた自立が日常生活動作上望まれる。移動手段として歩行が困難なケースは、車椅子移動となる為、これに供与する。【０００４】      日本家屋の持つ要介護者に対する不便さは、
・居室位置：生活活動拠点との距離、段差
・和式生活：座る、立つ
・室内段差：廊下、トイレ、浴室
・広  さ  ：廊下幅、トイレ、浴室スペース
・ド  ア  ：形状、幅、開き方（開き戸）
・床  面  ：じゅうたん、畳
などがあり、室内移動時に後方イザリ、前方イザリなどするときに支障があり、当発明にて要介護者が自力で室内移動する時に容易に移動することが出来る。
【先行技術文献】
【特許文献】
【０００５】      従来、このような室内用車椅子は種々の形態のものが提案され、実用化されている。例えば、特許文献１には図３のように符号８には方向制御用モーター、符号９には移動用モーターを備えて方向制御や移動用に提案されている。
【特許文献１】特開２００８−２６４４５０号公報
【発明の概要】
【発明が解決しようとする課題】
【０００６】  本発明は、特許文献１に係る車椅子の如く、方向変更するための自在車輪の作動を、機械式、又は電気式で作動させる方式であるため、装置構成が大きく及び操作が複雑となる等の問題があるため。構造簡潔で、要介護者自身が自ら移動できる、小回りの利く移動手段を発明することを課題とする。
【課題を解決するための手段】
【０００７】      本発明の課題は、そのため要介護者が、独自に家屋内を自らの力で移動するために必要な小型で、構造が簡単なことを特徴とする車椅子を提供することによって、効果的に達成される。
【発明の効果】
【０００８】      本発明に係る車椅子によれば、車椅子を小型でシンプルに構成できるので、要介護者自身が自らの意思で、屋内を移動できる。【０００９】      本発明に係る車椅子によれば、移動用モーターを備えて方向制御や移動の用に供する外部動力手段を一切用いることなく、車椅子を小型でシンプルに構成できるので、安価に製造することが出来る。【００１０】      また、使用しないときには、背当てフレームを取り外し、壁などへ立てかけておけるので、場所を大きくとることがない。【００１１】      車椅子の大きさは、要介護者の体の大きさと、ほぼ同じため、日本家屋のような狭小な移動空間に適している。
【図面の簡単な説明】
【００１２】
【図１】  本発明の実施形態を示す、３輪車椅子の３面図
【図２】  室内の段差を乗り越えるため、フレーム本体７を要介護者が手で掴み、持ち上げて乗り越す側面図である。
【図３】  フットサポート１２を麻痺の状況に合わせ移動させる上面図と側面図である。
【図４】  手動ブレーキ３，４を座席より後ろに設置を示す側面図である。
【図５】  背当てフレーム８をはずし、コンパクトに収納するための分解側面図である。
【符号の説明】
【００１３】１    主車輪
２    車椅子用キャスター
３    車椅子用ブレーキ（右側用）
４    車椅子用ブレーキ（左側用）
５    パイプ止め金具
６    フットサポート用ピン
７    フレーム本体
８    背当てフレーム
９    座板
１０  背当て板
１１  フットサポート用位置決め用カラー
１２  フットサポート
【図１】
2012143524.tif 000003
【図２】
2012143524.tif 000004
【図３】
2012143524.tif 000005
【図４】
2012143524.tif 000006
【図５】
2012143524.tif 000007
(57)【要約】      （修正有）【課題】インターネット及びコンピュータプログラム上にて実施される麻雀あるいはカードゲーム等の非開示である牌（カード）種がプレイヤーに判別できない状態において、その牌（カード）種が不正に改竄改変されることを防止する。【解決手段】この解決に情報工学におけるハッシュ暗号化関数を用いる。牌（カード）が場に配られる際、ハッシュ鍵１を生成し、非開示の牌（カード）と対応するように各牌（カード）にハッシュ値を付加する。ハッシュ値の算出はハッシュ鍵と牌（カード）種に設定された牌（カード）種値から求める。ハッシュ鍵はゲーム終了まで非開示であり、ゲーム終了時に開示される。このハッシュ鍵と牌（カード）種値からハッシュ値を再算出し、各牌（カード）に付加されたハッシュ値と比較し同じであることで、場に展開された牌（カード）が不正に改竄改変されていないことを保証でき、改竄改変を防止できる。【選択図】図１
2012143517.tif 000002
【特許請求の範囲】
【請求項１】
インターネット及びコンピュータプログラム上にて実施される麻雀の非開示である牌種がプレイヤーに判別できない状態において、その牌種が改竄改変されていないことを保証するために、各牌に、ハッシュ鍵と各牌種値から求めるハッシュ値を付加するという方法。
【請求項２】
インターネット及びコンピュータプログラム上にて実施されるカードゲーム等の非開示であるカード種がプレイヤーに判別できない状態において、そのカード種が改竄改変されていないことを保証するために、各カードに、ハッシュ鍵と各カード種値から求めるハッシュ値を付加するという方法。
【発明の詳細な説明】
【技術分野】
【０００１】本発明は、インターネット及びコンピュータプログラム上にて実施される、麻雀あるいはカードゲーム等の非開示である牌（カード）種がプレイヤーに判別できない状態において、その牌（カード）種が不正に改竄改変されることを防止するための方法に関する。
【背景技術】
【０００２】従来から、コンピュータプログラムとしての麻雀、カードゲーム等は存在していたが、非開示である牌（カード）が改竄改変されていないことを保証する手法がなかった。
これはコンピュータ対人間はもとより、インターネットにおいて、人間対人間において、コンピュータプログラムあるいは第三者の介入によって、非開示牌（カード）が都合よく改竄改変される可能性を否定できず、より厳密高度なゲームとして、インターネット麻雀（カードゲーム）の発展の限界を露呈していた。
【発明の概要】
【発明が解決しようとする課題】
【０００３】そこで、インターネットおよびコンピュータプログラム上の麻雀あるいはカードゲーム等において、場に展開された牌（カード）がゲーム中に改竄改変されることを防止する方法が求められている。
【課題を解決するための手段】
【０００４】この課題を解決するため、情報工学におけるハッシュ暗号化関数を用い、ハッシュ鍵と牌（カード）種に対応する牌（カード）種値からハッシュ値を求め、そのハッシュ値を対応する各非開示牌（カード）に付加する。【０００５】ハッシュ鍵はゲーム開始時に決め非開示とし、ゲーム終了時に開示される。ゲーム終了時、ハッシュ鍵と牌（カード）種値からハッシュ値を再計算し、各牌（カード）に付加されたハッシュ値と比較し、不正に改竄改変されていないことを保証する。
【発明の効果】
【０００６】この発明によって、もしゲーム中に場の牌（カード）が不正に改竄改変された場合、ゲーム終了時にハッシュ鍵と牌（カード）種値から再算出したハッシュ値と各牌（カード）に付加されたハッシュ値が不整合になり、不正改竄改変を検出できる。
【発明を実施するための形態】
【０００７】以下、本発明のハッシュ値を付加する方法の実施の一形態について図面を参照して説明する。麻雀を例にしているが、カードも同じ方法である。
【図面の簡単な説明】
【０００８】
【図１】図１はコンピュータプログラム麻雀においてハッシュ値を付加する実施方法を示した説明図である。（実施例１）
【図２】図２は上記図１の牌に対応する牌識別番号、牌種、牌種値、ハッシュ値を列挙したものである。
【図３】図３は上記図２の続き。
【実施例１】
【０００９】図１は、本発明の１実施例の図であって、場に展開された各牌に牌識別番号２を付加し、図２においてその牌識別番号２とハッシュ値５を対応した一覧表である。【００１０】ゲーム中、開示されているものは牌識別番号２、ハッシュ値５、であり非開示のものはハッシュ鍵１、牌種３、牌種値４である。【００１１】ゲーム終了時に、ハッシュ鍵１、脾種３、牌種値４が開示される。【００１２】ゲーム終了時に、場に展開されている牌識別番号２から一覧に対応する箇所を参照し、ハッシュ鍵１、牌種値４からハッシュ値を再算出したものをハッシュ値５と比較する。
【産業上の利用可能性】
【００１３】不正な改竄改変を防止することでより高度なゲーム、競技として産業経済活動に貢献できるものと確信します。
【符号の説明】
【００１４】１    ハッシュ鍵
２    牌識別番号
３    牌種
４    牌種値
５    ハッシュ値
【図１】
2012143517.tif 000003
【図２】
2012143517.tif 000004
【図３】
2012143517.tif 000005
(57)【要約】【課題】スキー場リフト乗車時にスノーボードブーツをスノーボードエッジで傷付けることなく、両足でスノーボードを吊り下げるフックを提供する。【解決手段】後ろ足のスノーボードブーツへ容易に装着でき、後ろ足スノーボードブーツを後ろ足スノーボードビンディングへ装着した際にも、その後ろ足スノーボードビンディングのトゥストラップに緩衝することなく、スキー場リフト乗車時に両足でスノーボードを吊り下げることを可能にした。【選択図】図１
2012143347.tif 000002
【特許請求の範囲】
【請求項１】
後ろ足スノーボードブーツの靴ひも部分へ容易に装着するためのスノーボードブーツへの装着フックと、後ろ足スノーボードビンディングへのヒールカップ吊り下げフックを設けることにより、スキー場リフト乗車時に両足でスノーボードを吊り下げることが出来るフック。
【発明の詳細な説明】
【技術分野】
【０００１】
本発明は、スキー場リフト乗車時にスノーボードを両足で吊ることを可能にし、両足に重量配分するためのものである。
【背景技術】
【０００２】
ウインタースポーツ人口は減少傾向にあるが、スキーならびにスノーボードへの入門の裾野は明らかにスノーボードが多くなっている。
【０００３】
その入門者には子供や女性が多くみられ、その多くの方は脚力が弱いのが実情である。
【先行技術文献】
【非特許文献】
【０００４】
【非特許文献１】ＴＥＡＭ  Ｄ  倉敷スラローマー  第７号２００５年２月倉敷からの雪山  蒜山ベアバレー特集
【発明の概要】
【発明が解決しようとする課題】
【０００５】
その脚力の弱いビギナーの方々がスキー場リフト乗車時に、滑走時に前足にあたるビンディングで固定された片方の足だけでスノーボードの全重量を吊り下げなくてはならず、片足だけがとても疲れてしまう。
【０００６】
その疲れを軽減するため、リフト乗車時にスノーボードブーツのコウの部分にスノーボードを直接載せると、スノーボードのエッジでスノーボードブーツの靴ひもやコウ部の表皮が非常に傷ついてしまう。
【課題を解決するための手段】
【０００７】
それを解消するのに、図１符号２のスノーボードブーツへの装着フックを後ろ足であるスノーボードブーツの靴ひも部分に装着し、リフト乗車時には図１符号１のヒールカップ吊り下げフックを後ろ足ビンディングの踵装着部であるヒールカップへ引っかけることにより、両足でスノーボードを吊り下げるようにした。
【発明の効果】
【０００８】
その結果、両足でスノーボードを吊ることが出来るようになると大変楽になる
【図面の簡単な説明】
【０００９】
【図１】図１はスノーボード吊り下げフックを示した説明図である。
【図２】図２はスノーボード吊り下げフック装着をスノーボードブーツへ示した説明図である。
【発明を実施するための形態】
【００１０】
図１符号２の様な形状であるので、靴ひもを解いてしまうことなく、ゲレンデでも容易に装着可能になっている。
【００１１】
スノーボードブーツのトゥ部分に、図１符号１のヒールカップ吊り下げフックを密着した時に、図１符号２のスノーボードブーツへの装着フックが足首に近くなるよう、図１符号３の本体プレート部を長くした。
【００１２】
これは、後ろ足スノーボードブーツを後ろ足スノーボードビンディングに装着した際に、図１符号２のスノーボードブーツへの装着フックが後ろ足スノーボードビンディングトゥストラップと緩衝することなく、本体プレートがスノーボートブーツと共にトゥストラップでビンディングへ固定されるためである。
【符号の説明】
【００１３】
１    ヒールカップ吊り下げフック
２    スノーボードブーツへの装着フック
３    本体プレート
【図１】
2012143347.tif 000003
【図２】
2012143347.tif 000004